(57)【特許請求の範囲】
【請求項１】
断熱箱体の下面に該下面の前面側を覆う底板と、
該底板の背面側に該背面側を覆う圧縮機架台と、
前記底板の下面の左右方向に取付けられた横把手と、
一端が前記横把手に取付けられ、他端が前記圧縮機架台に取付けられて、前記横把手と前記圧縮機架台との間に前記横把手と直交して設けられた縦把手と、
を備えたことを特徴とする冷蔵庫。
【請求項２】
断熱箱体の両側面の下端部に取付けられた左右の補強側桁と、前記断熱箱体の前面側下端部に取付けられた前面側桁と、前記断熱箱体の下面の前面側に把手締結用部材を介して前記前面側桁に取付けられた底板と、該底板の背面側において両端部が前記左右の補強側桁に取付けられた圧縮機架台とを備え、
前記底板の下面側に両端部が前記左右の補強側桁に取付けられた横把手と、該横把手と直交して一端が前記横把手に取付られ、他端が前記圧縮機架台に取付けられた縦把手とを設けたことを特徴とする冷蔵庫。
【請求項３】
前記横把手を、両端部に設けた取付け部、これら取付け部の間に設けた中間取付け部及び前記取付け部と中間取付け部との間に形成された把持部によって構成し、前記縦把手を、両端部に設けた取付け部及び該取付け部の間に形成された把持部によって構成したことを特徴とする請求項１又は２に記載の冷蔵庫。
【請求項４】
前記断熱箱体の下面に取付けられた横把手及び縦把手の下縁部が、前記断熱箱体の下部四隅に設けた移動用ローラの床面との接触部により上方に位置することを特徴とする請求項１〜３のいずれか一項に記載の冷蔵庫。
【請求項５】
前記底板の前記横把手及び縦把手の把持部と対向する位置に、凹部を設けたことを特徴とする請求項２〜４のいずれか一項に記載の冷蔵庫。
【請求項６】
前記底板を前記前面側桁に取付ける把手締結用部材に、前記横把手の中間取付け部と前記縦把手の取付け部とを共締めにより固定したことを特徴とする請求項２〜５のいずれか一項に記載の冷蔵庫。
【請求項７】
前記横把手と前記圧縮機架台との間に、前記横把手と直交して複数の縦把手を取付けたことを特徴とする請求項１〜６のいずれか一項に記載の冷蔵庫。
【発明の詳細な説明】
【技術分野】
【０００１】
本発明は冷蔵庫に係り、より詳しくは、運搬用把手を備えた冷蔵庫に関するものである。
【背景技術】
【０００２】
冷蔵庫には底面に移動用のローラを備えている場合が多いが、その直径は３０ｍｍ前後のため、平坦な場所で短かい距離での移動には有効であるが、家屋にある敷居などの段差は乗り越えられないため、新規に設置する場合や移動などの際には、冷蔵庫を持ち上げて運搬しなければならなかった。
【０００３】
しかしながら、冷蔵庫の大型化が進むにつれて重量も増大したため、小型の冷蔵庫を除き、冷蔵庫を持ち上げて運搬する際に把手が必要になり、この要求を満すべく、底面の左右方向に差し渡した運搬用把手を設けた冷蔵庫が提案されている（例えば、特許文献１参照）。
【０００４】
従来、冷蔵庫の運搬にあたっては、通常、正面の扉側を上にして奥行方向を天地としており、これは不用意に冷蔵庫の扉が開いて扉自体や家屋の破損などが生じないようにするためである。
ところが、さらに冷蔵庫の大型化が進み、左右方向の寸法が大きく、奥行方向の寸法が小さい冷蔵庫が現れるようになった。そして、冷蔵庫の左右方向の寸法が一般的な家屋の搬入口より大きく、奥行方向の寸法が搬入口の寸法より小さい場合があり、このような場合には冷蔵庫の左右方向を天地として運搬しなければならなかった。
【０００５】
このような問題に対して特許文献１の運搬用把手では対応できないため、正面と背面以外の少なくとも１つの面に凹部を設け、この凹部を運搬用把手とした冷蔵庫が提案されている（例えば、特許文献２参照）。
【先行技術文献】
【特許文献】
【０００６】
【特許文献１】特開平７−２９４１０３号公報（第５頁、図９）
【特許文献２】特開平１０−６８５７５号公報（第３頁、図２）
【発明の概要】
【発明が解決しようとする課題】
【０００７】
特許文献２の冷蔵庫においては、外郭を構成する断熱箱体に凹部を設けなければならないが、断熱箱体を構成する外箱の内面に冷媒配管を密着させて放熱コンデンサとする現在の冷蔵庫では、運搬用把手を構成する凹部が断熱箱体を構成する外箱と内箱との間に存在するため（外箱の内面側では凸部となる）、冷媒配管を外箱の内面に密着させることができず、このため、冷媒配管の配置に制約を受ける。また、現在増加しつつある外箱と内箱との間に充填された断熱材への真空断熱材の埋設にも影響を与えるなどの問題点が生じている。
【０００８】
本発明は、上記の課題を解決するためになされたもので、冷媒配管の配置や真空断熱材の埋設など、冷蔵庫の基本的性能に影響する構造に制約を与えることなく、奥行方向又は左右方向のどちらを天地にしても安全に運搬できる運搬用把手を備えた冷蔵庫を提供することを第１の目的としたものである。
また、重量の大きい冷蔵庫の筐体構造をより強固にすることのできる補強構造を備えた冷蔵庫を提供することを第２の目的としたものである。
【課題を解決するための手段】
【０００９】
本発明に係る冷蔵庫は、断熱箱体の下面に該下面の前面側を覆う底板と、該底板の背面側に該背面側を覆う圧縮機架台と、前記底板の下面の左右方向に取付けられた横把手と、一端が前記横把手に取付けられ、他端が前記圧縮機架台に取付けられて、前記横把手と前記圧縮機架台との間に前記横把手と直交して設けられた縦把手と、を備えたものである。
【発明の効果】
【００１０】
本発明によれば、冷媒配管の配置や真空断熱材の埋設などに影響を与えることなく、冷蔵庫の底面に横把手及び縦把手を設けることができる。
また、家屋の搬入口が大きい場合でも小さい場合でも、冷蔵庫の奥行方向を天地とし、又は左右方向を天地として横把手又は縦把手を持って下部を持ち上げることにより、容易かつ安全に冷蔵庫を運搬し、移動することができる。
さらに、横把手及び縦把手により冷蔵庫の底面に格子構造を形成したので、高い剛性を得ることができる。
【図面の簡単な説明】
【００１１】
【図１】本発明の実施の形態１に係る冷蔵庫の一部を省略した底面側からみた斜視図である。
【図２】図１の背面側上部からみた底面斜視図である。
【図３】図２の底板を外した底面斜視図である。
【図４】図１の前面側桁の斜視図である。
【図５】図１の圧縮機架台の斜視図である。
【図６】図１の左右の補強側桁の斜視図である。
【図７】図２の部品締結用部材の斜視図である。
【図８】図２の把手締結用部材の斜視図である。
【図９】図１の横把手の斜視図である。
【図１０】図１の縦把手の斜視図である。
【図１１】本発明に係る冷蔵庫を運搬する状態を示す説明図である。
【図１２】本発明の実施の形態２に係る冷蔵庫の一部を省略した底面側からみた斜視図である。
【図１３】図１２の横把手の斜視図である。
【発明を実施するための形態】
【００１２】
［実施の形態１］
図１は本発明の実施の形態１に係る冷蔵庫の一部を省略した底面側からみた斜視図、図２は図１の背面側上部からみた底面斜視図、図３は図２の底板を取外した底面斜視図である。なお、以下の説明では、理解し易くするため図面の一部を省略し、一部を誇張して示してある。また、図１〜図３の左側を前面側、右側を背面側という。
【００１３】
図１〜図３において、１は前面側が開口された冷蔵庫の外郭を構成する断熱箱体で、外箱２と内箱及び両者の間に充填した断熱材（共に図示せず）とからなり、前面開口部には開閉式扉及び引出し式扉が設けられている。なお、説明を容易にするため、図には断熱箱体１を構成する内箱及び外箱２と内箱との間に充填された断熱材は省略してある。
【００１４】
３，４は断熱箱体１を構成する外箱２の左右の側面部で、下端部にはそれぞれ内側（底面側）に折曲げた底面折曲げ部３ａ，４ａが設けられている。また、前面側の縁部にはそれぞれ内側（開口部側）に折曲げられた前面折曲げ部３ｂ，４ｂ（３ｂは図示してない）が設けられており、背面側の縁部にはそれぞれ内側（背面側）に折曲げられた背面折曲げ部３ｃ，４ｃが設けられている。
【００１５】
５は底面の前面側に設けられた前面側桁で、図４に示すように、両端部に取付け部５ａ，５ｂを有し、下端部には内側（底面側）に折曲げられた折曲げ部５ｃが設けられており、取付け部５ａ，５ｂ及び折曲げ部５ｃにはそれぞれ複数のねじ挿通穴１６が設けられている。
６は底面の前面側において、断熱箱体１の側面部３，４の底面折曲げ部３ａ，４ａ及び前面側桁５に取付けられた底板である。
【００１６】
７は底板６の背面側において、前記底面折曲げ部３ａ，４ａ及び底板６にねじ固定され、上面に圧縮機が取付けられる圧縮機架台で、図５に示すように、周壁７ａが設けられて内側には圧縮機を取付けるための複数のねじ挿通穴１６が設けられている。また、前面側の周壁７ａの長手方向の中央部付近にはねじ穴１５が設けられており、周壁７ａの両端部にはそれぞれ複数のねじ挿通穴１６が設けられている。
【００１７】
８，９は断熱箱体１の外箱２の側面部３，４の底面折曲げ部３ａ，４ａから背面折曲げ部３ｃ，４ｃにかけて固定された、ほぼＬ字状で同形の左補強側桁及び右補強側桁で、図６に示すように、水平部８ａと垂直部８ｂとからなり、断面もほぼＬ字状に形成されている（両者は同じ形状なので、以下左補強側桁８について説明する）。そして、水平部８ａ、垂直部８ｂの基部及び前面側に設けた取付け部８ｃにはねじ穴１５が設けられており、また、水平部８ａの取付け部８ｃ側にはねじ挿通穴１６が設けられている。８ｄは水平部８ａに設けられた組立作業時に必要な係合爪である。
【００１８】
１０，１１は底面の前面側の左右に設けられた左前脚及び右前脚で、それぞれ前面側の移動用ローラ１０ａ，１１ａが設けられている。１２ａ，１２ｂは圧縮機架台７の背面側の左右に設けられた背面側の移動用ローラで、これら移動用ローラ１０ａ，１１ａ，１２ａ，１２ｂは底面の四隅に設けられている。
【００１９】
１３は左右一対の板状の部品締結用部材で、図７に示すように、複数のねじ穴１５が設けられている。１４はほぼＴ字状の把手締結用部材で、図８に示すように複数のねじ穴１５が設けられている。
【００２０】
２０は金属製のパイプからなる横把手で、図９に示すように、両端部及び中央部付近は平坦に潰されて、把持部２１ａ，２１ｂと左右の取付け部２２ａ，２２ｂ及び中間取付け部２２ｃとが形成され、取付け部２２ａ，２２ｂ及び中間取付け部２２ｃにはそれぞれねじ挿通穴１６が設けられている。
２５は同じく金属製のパイプからなる縦把手で、図１０に示すように、両端部が潰されて、把持部２６と平坦な左右の取付け部２７ａ，２７ｂとからなり、取付け部２７ａ，２７ｂにはねじ挿通穴１６が設けられている。
【００２１】
上記の説明では、横把手２０及び縦把手２５を金属製のパイプを素材とし、両端部と中央部付近又は両端部を平坦に潰して、把持部２１ａ，２１ｂ又は２６と、取付け部２２ａ，２２ｂ及び中間取付け部２２ｃ又は２７ａ，２７ｂを設けた場合を示したが、本発明はこれに限定するものではなく、例えば、金属製のパイプ又は金属棒からなる把持部と、これと別体の金属板からなる取付け部とを溶接等により一体に接合して構成してもよく、また、把持部２１ａ，２１ｂ又は２６の断面形状も円形に限定するものではなく、楕円形その他の形状であってもよい。
【００２２】
次に、上記のような各部材の冷蔵庫の底面への組付け手順の一例について説明する。
先ず、あらかじめ部品締結用部材１３が取付けられた左補強側桁８と右補強側桁９を、断熱箱体１の外箱２の左右の側面部３，４に設けた底面折曲げ部３ａ，４ａに、係合爪８ｄ，９ｄにより着脱可能に取付ける。なお、実際の製造工程においては、断熱箱体１には、食品収納箱、冷媒配管やその他の部品が取付けられているが、説明を簡略化するために、これらの図面及び説明を省略した。
【００２３】
次に、圧縮機架台７を左右の補強側桁８，９にねじ固定する。これにより、断熱箱体１の左側面部３の左底面折曲げ部３ａは、左補強側桁８と圧縮機架台７の左側とによって挟持され、また、右側面部４の右底面折曲げ部４ａは、右補強側桁９と圧縮機架台７の右側とによって挟持されて、断熱箱体１の左右側面部３，４の下端部は一体的に連結される。
【００２４】
ついで、前面側桁５の左右の取付け部５ａ，５ｂを、左補強側桁８と右補強側桁９にねじ固定し、前面側桁５と左右の補強側桁８，９とにより、断熱箱体１の左右の側面部３，４の前面折曲げ部３ｂ，４ｂを挟持する。これにより、断熱箱体１の底面の前面側の左右が一体的に連結され、断熱箱体１の底面に額縁構造が形成される。
【００２５】
次に、あらかじめ内側（上面）の前面側に把手締結用部材１４が取付けられた底板６を底面の前面側に位置させ、その把手締結用部材１４を前面側桁５にねじ固定する。これにより、下面は底板６と圧縮機架台７により覆れる。なお、実際の製造工程においては、このとき、背面板その他の部品が取付けられ、また、断熱箱体１の外箱２と内箱との間に断熱材が充填される。
ついで、前面側の移動用ローラ１０ａ，１１ａを有する前面脚１０，１１を部品締結用部材１３に固定し、また、圧縮機架台７に背面側移動ローラ１２ａ，１２ｂを取付ける。
【００２６】
次に、底板６の下面の前面側に横把手２０を配置し、その取付け部２２ａ，２２ｂを床板６を介して断熱箱体１の左右の側面部３，４の底面折曲げ部３ａ，４ａ及び部品締結用部材１３にねじ固定する。このとき、横把手２０の下縁部は前後の移動用ローラ１０ａ，１１ａ，１２ａ，１２ｂの床面との接触面より上方に位置し、また、横把手２０の把持部２１ａ，２１ｂは底板６に設けた凹部６ａ，６ｂ上に位置する。これにより、断熱箱体１の底面の額縁構造は、左右方向の棧を設けた場合と同様の構造になる。
【００２７】
次に、底板６の下面に横把手２０と直交して縦把手２５を配置し、一方の取付け部２７ａを底板６を介して横把手２０の中間取付け部２２ｃと把手締結用部材１４にねじ固定し、他方の取付け部２７ｂを圧縮機架台７にねじ固定する。このとき、縦把手２５の下縁部は横把手２０の下縁部とほぼ同一平面上に位置し、また、把持部２６は、底板６の凹部６ｃ上に位置する。このように、横把手２０と縦把手２５と把手締結用部材１４に共締めすることにより、前後左右の桁が連結されて冷蔵庫の底面に十字状の格子構造が形成されるので、高い剛性を得ることができる。
【００２８】
以上、冷蔵庫の底面への各部材の組付け手順について説明したが、これはその一例を示すものであり、適宜変更することができる。
【００２９】
上記のように構成した本実施の形態に係る冷蔵庫においては、運搬や移動にあたり、家屋の搬入口が冷蔵庫の左右方向の寸法より大きい場合は、図１１（ａ）に示すように、冷蔵庫３０の扉側を上にして奥行方向を天地とし、１人が上部の背面側を保持し、他の１人が底面に設けた横把手２０の把持部２１ａ，２１ｂを持って冷蔵庫３０の下部を持ち上げて運搬する。また、家屋の搬入口が冷蔵庫の左右方向の寸法より小さい場合は、図１１（ｂ）に示すように、冷蔵庫３０の左右方向を天地とし、１人が上部の側面部を保持し、他の１人が底面に設けた縦把手２５の把持部２６を持って下部を持ち上げて運搬すればよいので、家屋の搬入口の大きさに関係なく、冷蔵庫３０を容易かつ安全に運搬し、移動することができる。
【００３０】
このとき、床板６の横把手２０の把持部２１ａ，２１ｂ及び縦把手２５の把持部２６の対向面には、それぞれ凹部６ａ〜６ｃが設けられているので、把持部２１ａ，２１ｂ，２６と底板６との間に容易に手を挿入することができ、横把手２０又は縦把手２５を容易かつ確実に持つことができる。
【００３１】
また、本実施の形態によれば、冷蔵庫の底面に横把手２０と縦把手２５とを設け、断熱箱体１の外箱２にはなんら加工を施すことがないので、冷媒配管の設置や真空断熱材の埋設に制約を受けることがない。
また、横把手２０により冷蔵庫の左右の補強側桁８，９を連結し、縦把手２５により前面側桁５と圧縮機架台７とを連結し、中間において横把手２０と縦把手２５を把手締結用部材１４に共締めするようにしたので、冷蔵庫の底面に十字状の格子構造が形成され、高い剛性を得ることができる。
【００３２】
［実施の形態２］
図１２は本発明の実施の形態２に係る一部を省略した冷蔵庫の底面からみた斜視図である。なお、実施の形態１と同一又は同じ機能の部分には、同じ符号を付してある。
本実施の形態は、横把手２０を図１３に示すように、両端部寄りに２つの中間取付け部２１ｄ，２１ｅを設け、この中間取付け部２１ｄ，２１ｅの間に把持部２１を設けたものである。なお、図示してないが、把手締結用部材１４は、底板６の内側（上面）の２か所（横把手２０の中間取付け部２１ｄ，２１ｅと対応する位置）に設けられている。
【００３３】
上記のような横把手２０は、実施の形態１の場合と同様に、その取付け部２２ａ，２２ｂを床板６を介して断熱箱体１の左右の側面部３，４の底面折曲げ部３ａ，４ａ及び部品締結用部材１３にねじ固定する。このとき、把持部２１は底板６に設けた凹部６ａ上に位置する。
【００３４】
また、本実施の形態においては、縦把手２５ａ，２５ｂを２本設け、一方の取付け部２７ａを底板６を介して、横把手２０の中間取付け部２１ｄ，２１ｅと把手締結用部材１４とにそれぞれねじ固定し、他方の取付け部２７ｂを圧縮機架台７にそれぞれねじ固定する。このとき、両縦把手２５ａ，２５ｂの把持部２６は、それぞれ底板６に設けた凹部６ｄ，６ｅ上に位置する。
【００３５】
上記の説明では、横把手２０と圧縮機架台７との間に２本の縦把手２５ａ，２５ｂを設けた場合を示したが、３本又はそれ以上の縦把手を設けてもよい。
本実施の形態の作用、効果は実施の形態１の場合とほぼ同様であるが、底面の前後方向に棧の機能を有する縦把手２５ａ，２５ｂを複数本設けたので、より高い剛性を得ることができる。
【符号の説明】
【００３６】
１  断熱箱体、２  外箱、３  左側面部、４  右側面部、５  前面側桁、６  底板、６ａ〜６ｅ  凹部、７  圧縮機架台、８  左補強側桁、９  右補強側桁、１０  左前脚、１１  右前脚、１０ａ，１１ａ  前面側の移動用ローラ、１２ａ，１２ｂ  背面側の移動用ローラ、１３  部品締結用部材、１４  把手締結用部材、１５  ねじ穴、１６  ねじ挿通穴、２０  横把手、２５  縦把手、２１ａ，２１ｂ，２６  把持部、２２ａ，２２ｂ，２７ａ，２７ｂ  取付け部、２１ｄ，２１ｅ  ２２ｃ  中間取付け部、３０  冷蔵庫。
【図１】
0005665698.tif 000002
【図２】
0005665698.tif 000003
【図３】
0005665698.tif 000004
【図４】
0005665698.tif 000005
【図５】
0005665698.tif 000006
【図６】
0005665698.tif 000007
【図７】
0005665698.tif 000008
【図８】
0005665698.tif 000009
【図９】
0005665698.tif 000010
【図１０】
0005665698.tif 000011
【図１１】
0005665698.tif 000012
【図１２】
0005665698.tif 000013
【図１３】
0005665698.tif 000014